(57)【要約】      （修正有）【課題】支持構造モジュール及び支持構造モジュールを使用した電子デバイスを提供する。【解決手段】本発明における支持構造モジュールは、電子デバイス１００において使用される。電子デバイス１００は、第１筐体１１０、ヒンジ、ヒンジを介して第１筐体１１０に対して回転可能な第２筐体１２０を備える。支持構造モジュールは、第１支持構造１３０aを有し、第１支持構造１３０aは、第１ブラケット１３２及び第１ヒンジカバー１３６を含む。第１ブラケット１３２は、第１筐体１１０に固定され、第１筐体１１０から露出される。第１ヒンジカバー１３６は、一体的に形成されることにより第１ブラケット１３２に接続され、第１筐体１１０から露出して、ヒンジの一部を覆う。【選択図】図１
2012007731.tif 000002
【特許請求の範囲】
【請求項１】
第１筐体、ヒンジ、及び前記ヒンジを介して前記第１筐体に対して回転可能な第２筐体を備える電子デバイスで使用される支持構造モジュールであって、
前記第１筐体に固定され、前記第１筐体から露出する第１ブラケットと、
一体的に形成されることによって前記第１ブラケットに接続され、前記第１筐体から露出し、前記ヒンジの一部を覆う第１ヒンジカバーと
を有する第１支持構造を備える支持構造モジュール。
【請求項２】
前記第２筐体に固定され、前記第２筐体から露出する第２ブラケットと、
一体的に形成されることによって前記第２ブラケットに接続され、前記第２筐体から露出し、前記ヒンジの残りの部分を覆う第２ヒンジカバーと
を有する第２支持構造を更に備える請求項１に記載の支持構造モジュール。
【請求項３】
前記第１支持構造の前記第１ブラケットは、前記第１筐体の縁に沿って延在し、前記ヒンジ及び前記第１ヒンジカバーの数はそれぞれ２つであり、２つの前記第１ヒンジカバーはそれぞれ、前記第１ブラケットの側面の前記第２筐体に隣接する２つの端部に配置される請求項２に記載の支持構造モジュール。
【請求項４】
前記第２支持構造の前記第２ブラケットは、前記第２筐体の縁に沿って延在し、前記第２ヒンジカバーの数は２つであり、２つの前記第２ヒンジカバーはそれぞれ、前記第２ブラケットの側面の前記第１筐体に隣接する２つの端部に配置され、前記２つの第２ヒンジカバーは、前記２つの第１ヒンジカバーと共に前記２つのヒンジを覆う請求項３に記載の支持構造モジュール。
【請求項５】
前記ヒンジは、
前記第１支持構造の前記第１ヒンジカバーに固定して接続される第１シャフトと、
前記第２支持構造の前記第２ヒンジカバーに固定して接続され、前記第１シャフトに枢結される第２シャフトとを有する請求項２から４の何れか１項に記載の支持構造モジュール。
【請求項６】
前記第１支持構造の前記第１ヒンジカバーは、取り付け穴を有し、前記第１シャフトの端部は、前記取り付け穴に嵌挿される請求項５に記載の支持構造モジュール。
【請求項７】
前記第２支持構造の前記第２ヒンジカバーは、少なくとも１つの溝を有し、前記第２シャフトは、少なくとも１つのフックを有し、前記フックは、前記溝に掛合する請求項５または６に記載の支持構造モジュール。
【請求項８】
前記ヒンジは、前記第１シャフト及び前記第２シャフトに接続されたねじり要素を更に有し、前記第１シャフト及び前記第２シャフトは、前記ねじり要素によって付与されるねじり応力に抵抗して互いに相対的に回転するように構成されている請求項５から７の何れか１項に記載の支持構造モジュール。
【請求項９】
前記第１支持構造及び前記第２支持構造は、アルミニウム合金又は亜鉛合金で形成される請求項２から８の何れか１項に記載の支持構造モジュール。
【請求項１０】
前記第１支持構造の前記第１ヒンジカバーと接続され、面上で前記第１筐体を支持する支持ブラケットを更に備える請求項１から９の何れか１項に記載の支持構造モジュール。
【請求項１１】
第１筐体と、
ヒンジと、
前記ヒンジを介して前記第１筐体に対して回転可能な第２筐体と、
第１支持構造とを備え、
前記第１支持構造は、
前記第１筐体に固定され、前記第１筐体から露出する第１ブラケットと、
一体的に形成されることによって前記第１ブラケットに接続され、前記第１筐体から露出し、前記ヒンジの一部を覆う第１ヒンジカバーとを有する、電子デバイス。
【請求項１２】
前記第２筐体に固定され、前記第２筐体から露出する第２ブラケットと、
一体的に形成されることによって前記第２ブラケットに接続され、前記第２筐体から露出し、前記ヒンジの残りの部分を覆う第２ヒンジカバーと
を有する第２支持構造を更に備える請求項１１に記載の電子デバイス。
【請求項１３】
前記第１支持構造の前記第１ブラケットは、前記第１筐体の縁に沿って延在し、前記ヒンジ及び前記第１ヒンジカバーの数はそれぞれ２つであり、２つの前記第１ヒンジカバーはそれぞれ、前記第１ブラケットの側面の前記第２筐体に隣接する２つの端部に配置される請求項１２に記載の電子デバイス。
【請求項１４】
前記第２支持構造の前記第２ブラケットは、前記第２筐体の縁に沿って延在し、前記第２ヒンジカバーの数は２つであり、２つの前記第２ヒンジカバーはそれぞれ、前記第２ブラケットの側面の前記第１筐体に隣接する２つの端部に配置され、前記２つの第２ヒンジカバーは、前記２つの第１ヒンジカバーと共に前記２つのヒンジを覆う請求項１３に記載の電子デバイス。
【請求項１５】
前記２つのヒンジの間に位置し、前記第１筐体及び前記第２筐体と接続されるケーブル被覆構造を更に備え、
前記ケーブル被覆構造は、前記第１筐体と前記第２筐体との間に延在する複数の通路を有し、前記電子デバイスの複数のケーブルが、前記複数の通路に配置される請求項１３または１４に記載の電子デバイス。
【請求項１６】
前記ケーブル被覆構造は、ゴムで形成されている請求項１５に記載の電子デバイス。
【請求項１７】
前記ヒンジは、
前記第１支持構造の前記第１ヒンジカバーに固定して接続される第１シャフトと、
前記第２支持構造の前記第２ヒンジカバーに固定して接続され、前記第１シャフトに枢結される第２シャフトとを有する請求項１２から１６の何れか１項に記載の電子デバイス。
【請求項１８】
前記第１支持構造の前記第１ヒンジカバーは、取り付け穴を有し、前記第１シャフトの端部は、前記取り付け穴に嵌挿される請求項１７に記載の電子デバイス。
【請求項１９】
前記第２支持構造の前記第２ヒンジカバーは、少なくとも１つの溝を有し、前記第２シャフトは、少なくとも１つのフックを有し、前記フックは、前記溝に掛合する請求項１７または１８に記載の電子デバイス。
【請求項２０】
前記ヒンジは、前記第１シャフト及び前記第２シャフトに接続されるねじり要素を更に有し、前記第１シャフト及び前記第２シャフトは、前記ねじり要素によって付与されるねじり応力に抵抗して、互いに相対的に回転する請求項１７から１９の何れか１項に記載の電子デバイス。
【請求項２１】
前記第１支持構造及び前記第２支持構造は、アルミニウム合金又は亜鉛合金で形成される請求項１２から２０の何れか１項に記載の電子デバイス。
【請求項２２】
前記第１支持構造の前記第１ヒンジカバーと接続され、面上で前記第１筐体を支持する支持ブラケットを更に備える請求項１１から２１の何れか１項に記載の電子デバイス。
【発明の詳細な説明】
【技術分野】
【０００１】
本発明は、支持構造モジュール及び支持構造モジュールを使用した電子デバイスに関し、特に、外装部として露出する支持構造モジュール及びそれを使用した電子デバイスに関する。
【０００２】
［優先権情報］
本非仮出願は、３５Ｕ．Ｓ．Ｃ．§１１９（ａ）に基づき、２００９年６月２２日出願の台湾・中華民国出願０９９１２０２９０号明細書の優先権を主張するものであり、前記出願の内容は、参照により本明細書に組み込まれる。
【背景技術】
【０００３】
半導体素子及びディスプレイ技術の改良に伴い、電子デバイスは、小型化、多機能化、及び携帯化が進んでいる。一般的な携帯電子デバイスには、パーソナルデジタルアシスタント（ＰＤＡ）、携帯電話、ノートブックコンピュータ等がある。携帯電子デバイスは、収納スペースを小さくするために折り畳むことができ、電子機器は、軽く、薄く、長さが短く、そして小さくなっている。ノートブックコンピュータを例にとって、説明する。一般的なノートブックコンピュータは、多くの場合、本体及びディスプレイデバイスを含み、本体及びディスプレイデバイスは、互いに枢結される。ユーザーは、ノートブックコンピュータの本体及びディスプレイデバイスの相対的な回転によって、ノートブックコンピュータの本体及びディスプレイデバイスを閉じることができ、持ち運びが容易になっている。また、ノートブックコンピュータを使用する時には、ユーザーは、ディスプレイデバイスを開いてコンピュータを動作させることができる。
【０００４】
一般的に、本体とディスプレイとの間にヒンジが配置され、本体とディスプレイとが相対的に回転することによって、開閉させることができる。ノートブックコンピュータの筐体の多くは、ヒンジを覆う外装要素を備え、コンピュータが全体として良好な外観を有するようにしている。外装要素を筐体にねじ止めするのに、ねじが使用されると、構造的要素が正確に協働せず、応力がそこに集中してしまう場合がある。したがって、本体及びディスプレイデバイスがヒンジを介して相対的に回転した時に、構造が容易に損傷を受けてしまう可能性がある。また、外装要素及びねじは、製造コスト及び時間を増加させると考えられる。
【発明の概要】
【０００５】
上述の問題を鑑みて、本開示は、外装要素として露出可能な支持構造モジュールであって、一体的に形成され、電子デバイスのヒンジカバー及び従来のブラケットに替えて使用される支持構造モジュールを提供する。
【０００６】
本発明の実施形態は、支持構造モジュール及び電子デバイスを提供する。電子デバイスは、第１筐体、ヒンジ、及びヒンジを介して第１筐体に対して回転可能な第２筐体を備える。支持構造モジュールは、第１支持構造を有し、第１支持構造は、第１ブラケット及び第１ヒンジカバーを含む。第１ブラケットは、第１筐体に固定され、第１筐体から露出している。第１ヒンジカバーは、一体的に形成されることによって第１ブラケットに接続されており、また、第１ヒンジカバーは、第１筐体から露出しており、ヒンジの一部を覆っている。
【０００７】
本発明の一実施形態において、支持構造モジュールは、第２ブラケット及び第２ヒンジカバーを有する第２支持構造を備える。第２ブラケットは、第２筐体から露出して第２筐体に固定される。第２ヒンジカバーは、一体的に形成されることにより第２ブラケットに接続され、また、第２筐体から露出して、ヒンジの残りの部を覆う。
【０００８】
本発明の一実施形態において、第１支持構造の第１ブラケットは、第１筐体の縁に沿って延在してもよい。ヒンジ及び第１ヒンジカバーの数はそれぞれ２つであってもよく、２つの第１ヒンジカバーはそれぞれ、第１ブラケットの側面の第２筐体に隣接する２つの端部に配置されてもよい。
【０００９】
本発明の一実施形態では、第２支持構造の第２ブラケットは、第２筐体の縁に沿って延在してもよい。第２ヒンジカバーの数は２つであってもよく、２つの第２ヒンジカバーはそれぞれ、第２ブラケットの側面の第１筐体に隣接する２つの端部に配置され、２つの第２ヒンジカバーは、２つの第１ヒンジカバーと共に２つのヒンジを覆う。
【００１０】
本発明の一実施形態において、ヒンジは、第１シャフト及び第２シャフトを有してもよい。第１シャフトは、第１支持構造の第１ヒンジカバーに固定して接続される。第２シャフトは、第２支持構造の第２ヒンジカバーに固定して接続され、第１シャフトに枢結される。
【００１１】
本発明の一実施形態において、第１支持構造の第１ヒンジカバーは、取り付け穴を有し、第１シャフトの端部は、取り付け穴に埋め込まれる。
【００１２】
本発明の一実施形態において、第２支持構造の第２ヒンジカバーは、少なくとも１つの溝を有し、第２シャフトは、少なくとも１つのフックを有する。フックは、溝に掛合する。
【００１３】
本発明の一実施形態において、ヒンジは、第１シャフト及び第２シャフトに接続されるねじり要素を有し、第１シャフト及び第２シャフトは、ねじり要素によって付与されるねじり応力に抵抗して、互いに相対的に回転する。
【００１４】
本発明の一実施形態では、支持構造は、第１支持構造の第１ヒンジカバーと接続され、表面において第１筐体を支持する支持ブラケットを備えてもよい。
【００１５】
本発明の一実施形態では、第１支持構造及び第２支持構造は、アルミニウム合金又は亜鉛合金で形成される。
【００１６】
本発明の一実施形態は、第１筐体、ヒンジ、ヒンジを介して第１筐体に対して回転可能な第２筐体、及び第１支持構造を備える電子デバイスを提供する。第１支持構造は、第１ブラケットと第１ヒンジカバーとを有する。第１ブラケットは、第１筐体に固定され、第１筐体から露出する。第１ヒンジカバーは、一体的に形成されることにより第１ブラケットに接続され、第１筐体から露出して、ヒンジの一部を覆う。
【００１７】
本発明の一実施形態では、電子デバイスは、第２ブラケットと第２ヒンジカバーとを有する第２支持構造を備える。第２ブラケットは、第２筐体から露出して第２筐体に固定される。第２ヒンジカバーは、一体的に形成されることにより第２ブラケットに接続され、第２筐体から露出して、ヒンジの残りの部分を覆う。
【００１８】
本発明の一実施形態では、第１支持構造の第１ブラケットは、第１筐体の縁に沿って延在していてもよい。ヒンジ及び第１ヒンジカバーの数はそれぞれ２つであり、２つの第１ヒンジカバーはそれぞれ、第１ブラケットの側面の第２筐体に隣接する２つの端部に配置される。
【００１９】
本発明の一実施形態では、第２支持構造の第２ブラケットは、第２筐体の縁に沿って延在する。第２ヒンジカバーの数は２つであってもよく、２つの第２ヒンジカバーはそれぞれ、第２ブラケットの側面の第１筐体に隣接する２つの端部に配置され、２つの第２ヒンジカバーは、２つの第１ヒンジカバーと共に２つのヒンジを覆う。
【００２０】
本発明の一実施形態では、電子デバイスは、２つのヒンジの間に位置し、第１筐体及び第２筐体と接続されるケーブル被覆構造を備える。ケーブル被覆構造は、第１筐体と第２筐体との間に延在する複数の通路を有し、電子デバイスの複数のケーブルが、複数の通路に配置される。
【００２１】
ケーブル被覆構造は、ゴムで形成されていてもよい。
【００２２】
本発明の一実施形態では、第１シャフト及び第２シャフトを有してもよい。第１シャフトは、第１支持構造の第１ヒンジカバーに固定して接続される。第２シャフトは、第２支持構造の第２ヒンジカバーに固定して接続され、第１シャフトに枢結される。
【００２３】
本発明の一実施形態では、第１支持構造の第１ヒンジカバーは、取り付け穴を有してもよく、第１シャフトの端部は、取り付け穴に埋め込まれる。
【００２４】
本発明の一実施形態では、第２支持構造の第２ヒンジカバーは、少なくとも１つの溝を有し、第２シャフトは、少なくとも１つのフックを有する。フックは、溝に掛合する。
【００２５】
本発明の一実施形態では、ヒンジは、第１シャフト及び第２シャフトに接続されるねじり要素を有してもよく、第１シャフト及び第２シャフトは、ねじり要素によって付与されるねじり応力に抵抗して、互いに相対的に回転する。
【００２６】
本発明の一実施形態において、電子デバイスは、第１支持構造の第１ヒンジカバーと接続され、表面において第１筐体を支持する支持ブラケットを有してもよい。
【００２７】
本発明の一実施形態において、第１支持構造及び第２支持構造は、アルミニウム合金又は亜鉛合金で形成されてもよい。
【００２８】
上述したように、本開示におけるヒンジは、支持構造のヒンジカバーによって覆われ、露出していない。したがって、ねじ止めの場合に必要な、ヒンジを隠す追加の外装要素を設ける必要がない。さらに、ねじ止めの場合に生じる、構造的要素が正確に協働しない又は応力が集中してしまうといった問題を避けることができる。したがって、第１筐体及び第２筐体がヒンジを介して互いに相対的に回転する時に、構造が損傷してしまう可能性が低減される。
【００２９】
これら及びその他の特徴、側面、及び本発明の利点が、以下に記載の詳細な説明、添付の特許請求の範囲及び添付の図面を参照することにより、明らかとなる。
【図面の簡単な説明】
【００３０】
【図１】本発明の一実施形態に係る電子デバイスを示した３次元図である。
【図２】図１の支持構造モジュールの３次元の図である。
【図３】図１の支持構造モジュールの部分斜視図である。
【図４】図２のヒンジの３次元図である。
【図５】図１の第１筐体において閉じた状態の第２筐体を示した３次元図である。
【図６】図１の支持構造モジュールを示した部分３次元図である。
【図７】図６の支持構造モジュールの構造要素の一部を示した部分３次元図である。
【図８】図１のケーブル被覆構造を示した概略図である。
【発明を実施するための形態】
【００３１】
図１は、本発明の一実施形態に係る電子デバイスを示した３次元図である。図２は、図１の支持構造モジュールの３次元の図である。図３は、図１の支持構造モジュールの部分斜視図である。図１から図３を参照して、一実施形態を説明する。一実施形態の電子デバイス１００は（図３に示すように）、第１筐体１１０、第２筐体１２０、第１支持構造１３０ａ、第２支持構造１３０ｂ、及びヒンジ１３９を備える。第１筐体１１０は、ノートブックコンピュータの本体の筐体であってもよく、第２筐体１２０は、ノートブックコンピュータのディスプレイモジュールの筐体であってもよい。
【００３２】
第１支持構造１３０ａは、第１ブラケット１３２及び第１ヒンジカバー１３６を含み、第２支持構造１３０ｂは、第２ブラケット１３４及び第２ヒンジカバー１３８を含む。第１支持構造１３０ａ及び第２支持構造１３０ｂは、アルミニウム合金又は亜鉛合金で形成されていてもよく、それぞれ第１筐体１１０及び第２筐体１２０に固定され、そこから露出している。本実施形態において、第１ヒンジカバー１３６は、第１ブラケット１３２と一体的に形成されることによって第１ブラケット１３２に接続され、第１筐体１１０からは露出している。第２ヒンジカバー１３８は、第２ブラケット１３４と一体的に形成されることによって、第２ブラケット１３４と接続されており、第２筐体１２０からは露出している。加えて、第１支持構造１３０ａ、第２支持構造１３０ｂ及びヒンジ１３９が共に支持構造モジュール１３０を形成しているので、電子デバイス１００の全体的な構造的強度が改善されており、また、第１筐体１１０及び第２筐体１２０が互いに相対的に開閉するのを可能にしている。
【００３３】
具体的には、ヒンジ１３９は、第１ヒンジカバー１３６及び第２ヒンジカバー１３８との間に接続され、第１ヒンジカバー１３６及び第２ヒンジカバー１３８によって覆われる。第１ヒンジカバー１３６及び第２ヒンジカバー１３８は、ヒンジ１３９を介して互いに相対的に回転可能に構成されており、それによって、第２筐体１２０が第１筐体１１０に対して開いたり閉じたりできるようになっている。図１には、第２筐体１２０が、第１筐体１１０に対して開いた状態が示されている。
【００３４】
ヒンジ１３９は、第１ヒンジカバー１３６及び第２ヒンジカバー１３８によって覆われており露出しておらず、ねじ止めをした場合にはヒンジ１３９を覆うのに必要だった付加的な外装要素を必要としないので、製造コスト及び製造時間を節約することができる。また、ねじ止めの場合に生じる、構造的要素が正確に協働しない、又は応力が集中してしまうといった問題を避けることができる。したがって、第１筐体１１０及び第２筐体１２０がヒンジ１３９を介して相対的に回転する時に、構造が損傷してしまう可能性が低減される。この実施形態における、支持構造モジュール１３０の構造及び動作モードを、図面を参照して以下に詳細に説明する。
【００３５】
図４は、図２のヒンジの３次元図である。図５は、図１の第１筐体において閉じた状態の第２筐体を示した３次元図である。図３及び図４を参照して説明する。この実施形態において、ヒンジ１３９は、第１シャフト１３９ａ及び第２シャフト１３９ｂを有する。第１シャフト１３９ａは、第１ヒンジカバー１３６に固定されるように接続されている（図３参照）。第２シャフト１３９ｂは、第２ヒンジカバー１３８に固定されるように接続されており（図３参照）、第１シャフト１３９ａに枢結されている。第１シャフト１３９ａ及び第２シャフト１３９ｂは、軸Ａ上で互いに相対的に回転可能に構成されており（図４参照）、第１ブラケット１３２及び第２ブラケット１３４を、図１に示す状態と図５に示す状態との間で互いに相対的に駆動することができる。これによって、第２筐体１２０を、第１筐体１１０に対して開閉することができる。
【００３６】
図６は、図１の支持構造モジュールを示した部分３次元図である。図７は、図６の支持構造モジュールの構造要素の一部を示した部分３次元図である。明確に図示する目的から、図６に示されている第２ブラケット１３４及び第２ヒンジカバー１３８は、図７には示されていない。図３及び図７を参照して説明する。具体的には、本実施形態の第１ヒンジカバー１３６は、組み立て穴１３６ａを有し、第１シャフト１３９ａの末端が、組み立て穴１３６ａに嵌挿され、第１シャフト１３９ａ及び第１ヒンジカバー１３６が、互いに固定されるようになっている。本実施形態における組み立て穴１３６ａは、非円形の穴であり、第１シャフト１３９ａの末端は、非円筒構造をしており且つ組み立て穴１３６ａと同じ形状を有している。このように、第１シャフト１３９ａの回転によって、第１ヒンジカバー１３６が動作するように構成されている。
【００３７】
次に、図３、図４及び図６を参照して説明する。本実施形態において、第２ヒンジカバー１３８は、少なくとも１つの溝１３８ａを有し（図面には、複数の溝１３８ａが示されている）、第２シャフト１３９ｂは、少なくとも１つのフック１３９ｃ（図面には、複数のフック１３９ｃが示されている）。フック１３９ｃが溝１３８ａに掛合することによって、第２シャフト１３９ｂ及び第２ヒンジカバー１３８が互いに固定され、第２シャフト１３９ｂが回転して、第２ヒンジカバー１３８が機能するようになっている。さらに、図３及び図４を参照して説明する。本実施形態において、ヒンジ１３９は更に、ねじり要素１３９ｄを有し、ねじり要素１３９ｄは、第１シャフト１３９ａ及び第２シャフト１３９ｂと接続されている。第１シャフト１３９ａ及び第２シャフト１３９ｂが、互いに相対的に回転するには、ねじり要素１３９ｄによって付与されるねじり応力に抵抗する必要があり、ユーザーによって予期しない状況で付与される不適切な力によって第１シャフト１３９ａ及び第２シャフト１３９ｂが互いに相対的に回転してしまうのを防止している。
【００３８】
図１及び図２を参照して説明する。本実施形態において、支持構造モジュール１３０は更に、支持ブラケット１３７を含む。支持ブラケット１３７は（図１に示すように）、電子デバイス１００と面５０とが特定の角度を有すように、第１ヒンジカバー１３６と接続されて、面５０において第１筐体１１０を支持し、ユーザーが、電子デバイス１００を快適に操作できるようにしている。図１に示す面５０は、テーブルの上面、又は電子デバイス１００を載置するのに好適なその他の表面であってもよい。
【００３９】
図８は、図１のケーブル被覆構造を示した概略図である。図１及び図８を参照して説明する。本実施形態において、電子デバイス１００は更に、ケーブル被覆構造１４０を含む。ケーブル被覆構造１４０は、第１筐体１１０と第２筐体１２０との間に接続されており、第１筐体１１０と第２筐体１２０との間に延在する複数の通路１４２ａ〜１４２ｄを有する（図８参照）。電子デバイス１００の複数のケーブル１５０ａ〜１５０ｄは、（図８に示すように）通路１４２ａ〜１４２ｄを介して第１筐体１１０及び第２筐体１２０の間に接続されるため、これらのケーブルは、ケーブル被覆構造１４０によって被覆されて隠れた状態となる。ケーブル１５０ａ〜１５０ｄは、低電圧差動信号（ＬＶＤＳ）ケーブル、アンテナケーブル又はカメラケーブルを含んでもよい。ケーブル被覆構造１４０は、ゴムによって形成され、第１筐体１１０及び第２筐体１２０の相対的な回転によって弾性的に変形してもよい。
【００４０】
本実施形態における第１ブラケット１３２は、第１筐体１１０の縁に沿って延在しており、第２ブラケット１３４は、第２筐体１２０の縁に沿って延在しており、このような構造によって、電子デバイス１００の構造的強度を効果的に強化することができる。また、第１ヒンジカバー１３６は、２つ設けられ、それぞれ第１ブラケット１３２の１面の第２筐体１２０に隣接する２つの端部に配置される。第２ヒンジカバー１３８は、２つ設けられ、それぞれ第２ブラケット１３４の１面の第１筐体１１０に隣接する２つの端部に配置される。ヒンジ１３９も同様に、２つ設けられ、それぞれ第１ヒンジカバー１３６及び第２ヒンジカバー１３８内に配置される。したがって、２つのヒンジ１３９は、互いの間に十分な空間を有し、そこにケーブル被覆構造１４０を収容することができ、電子デバイス１００のケーブル１５０ａ〜１５０ｄは、（図８に示すように）ケーブル被覆構造１４０を介して、第１筐体１１０及び第２筐体１２０の間で接続される。
【００４１】
すなわち、本発明の実施形態におけるヒンジは、支持構造のヒンジカバーによって覆われ、露出しない。したがって、ねじ止めした時のようにヒンジを覆うためにさらなる外装要素を設ける必要がなく、製造コストを削減することができ、製造時間を節約することができる。また、ねじ止めの場合に生じる、構造的要素が正確に協働しない又は応力が集中してしまうといった問題を避けることができる。したがって、第１筐体及び第２筐体がヒンジを介して互いに相対的に回転する時に、構造が損傷してしまう可能性が低減される。加えて、ゴムで形成されたケーブル被覆構造を、第１筐体及び第２筐体の間に配置することができ、第１筐体と第２筐体との間に接続されているケーブルを保護することができる。
【００４２】
本発明の実施形態が、特定の好ましい実施形態を参照して詳細に説明されたが、本開示は、本発明の範囲を限定するものではない。当業者であれば、本発明の範囲及び精神から逸脱することなく、様々な改良及び変更をおこなうことが可能である。したがって、添付の特許請求の範囲は、上記した好ましい実施形態の説明によって限定されるべきではない。
【図１】
2012007731.tif 000003
【図２】
2012007731.tif 000004
【図３】
2012007731.tif 000005
【図４】
2012007731.tif 000006
【図５】
2012007731.tif 000007
【図６】
2012007731.tif 000008
【図７】
2012007731.tif 000009
【図８】
2012007731.tif 000010